(57)【要約】【課題】冷媒がコイルを直接冷却する回転電機であって、高効率にコイルを冷却することができる回転電機を提供する。【解決手段】回転電機１００は、環状に形成され、周面にステータティース１７１が形成されたステータ１４０、およびステータティース１７１に装着されたコイル１８０を含むステータと、ステータの軸方向端面に設けられ、軸方向端面およびコイル１８０を覆うように形成される共に、ステータ１４０の軸方向端面上に冷媒が流通可能な冷媒通路を規定するコイルエンドカバー１７２とを備え、ステータティース１７１の軸方向端面とコイル１８０の内周面との間に隙間１８１が形成され、冷媒通路２１０内には、隙間に向けて冷媒を案内可能なガイド部材１９６が設けられる。【選択図】図６
2010206870.tif 000002
【特許請求の範囲】
【請求項１】
環状に形成され、周面にステータティースが形成されたステータコア、および前記ステータティースに装着されたコイルを含むステータと、
前記ステータの軸方向端面に設けられ、前記軸方向端面および前記コイルを覆うように形成される共に、前記ステータの前記軸方向端面上に冷媒が流通可能な冷媒通路を規定するカバー部材と、
を備え、
前記ステータティースの軸方向端面と前記コイルの内周面との間に隙間が形成され、
前記冷媒通路内には、前記隙間に向けて前記冷媒を案内可能なガイド部材が設けられた、回転電機。
【請求項２】
前記ガイド部材は、前記ステータまたは前記ステータに設けられた部材の一部によって形成された、請求項１に記載の回転電機。
【請求項３】
前記ガイド部材は、前記カバー部材の内表面に形成され、前記隙間に向けて突出するように形成された、請求項１または請求項２に記載の回転電機。
【請求項４】
前記ステータは、前記ステータティースに装着され、前記コイルと前記ステータコアとの間を絶縁可能なインシュレータをさらに含み、
前記ガイド部材は、前記インシュレータに形成された、請求項１または請求項２に記載の回転電機。
【請求項５】
前記ステータは、周方向に間隔を隔てて複数の前記ステータティースおよび複数の前記コイル含むと共に、前記コイル間に設けられ、隣り合うコイル間同士を絶縁可能な相間絶縁膜をさらに備え、
前記ガイド部材は、前記相間絶縁膜に形成された、請求項１または請求項２に記載の回転電機。
【請求項６】
前記ステータは、周方向に間隔を隔てて設けられた複数の前記ステータティースおよび複数の前記コイル含み、
前記コイルは、前記ステータティースに巻回された巻回部と、前記巻回部から引き出され、他のコイルに接続される引出部とを含み、
前記引出部は、前記コイルの軸方向端面上に配設され、
前記ステータは、前記コイルの前記軸方向端面上に配置され、前記引出部を支持する支持部材をさらに含み、
前記ガイド部材は、前記支持部材に形成された、請求項１または請求項２に記載の回転電機。
【請求項７】
前記ステータの周方向に配列する前記ガイド部材の側面には、径方向内方に向かうにしたがって、前記ステータの前記軸方向端面から離れるように延び、前記コイルの軸方向端面側に前記冷媒を案内可能な側壁案内部を含む、請求項１から請求項６のいずれかに記載の回転電機。
【請求項８】
前記ステータコアは、環状に延びるヨーク部を含み、前記ステータティースは、前記ヨーク部の内周面から径方向内方に向けて突出し、
前記カバー部材は、前記ステータティースの軸方向端面のうち、前記コイルより前記径方向内方側に位置する部分から前記ヨーク部の軸方向端面の外周縁部までを覆うように形成され、
前記冷媒通路は、前記コイルに対して径方向内方側に位置し、周方向に隣り合う前記隙間同士を連通させる内径側通路を含む、請求項１から請求項７のいずれかに記載の回転電機。
【請求項９】
前記ステータは、周方向に間隔を隔てて設けられた複数の前記ステータティースおよび複数の前記コイルを含み、
前記コイルは、前記ステータティースに巻回された巻回部と、前記巻回部から引き出され、他のコイルに接続される引出部とを含み、
前記引出部は、周方向に向かうにしたがって、径方向内方側から径方向外方側に向けて延びる、請求項１から請求項８のいずれかに記載の回転電機。
【発明の詳細な説明】
【技術分野】
【０００１】
本発明は、回転電機に関する。
【背景技術】
【０００２】
従来から回転電機のステータを効率よく冷却するために、各種の固定子構造や回転電機および電動機等が提案されている。
【０００３】
たとえば、特開２００５−３２３４１６号公報に記載されたモータジェネレータの冷却構造においては、ステータコアの内周面に開口するスロットの開口部を閉塞してスロット内部を冷媒通路としている。そして、ステータコアの前端及び後端には、夫々の端部から突出したコイルエンドを囲繞して液密的な環状空間を形成する冷却ジャケットが設けられている。
【０００４】
特開２００３−１６４０８８号公報（特許第３７４１０３１号）に記載された固定子構造においては、複数の分割コアを環状に配置することで環状に形成されており、各分割コアの内周側に突出した突極部には、突極部を取り囲むように絶縁紙が装着されている。そして、絶縁紙は、巻線と分割コアの間に介装されており、絶縁紙上から巻線となる巻線素線が巻回されている。そして、偏平型（平角型）の巻線素線をトラバースさせることなく直上に順次巻回した一部巻線部をステータ直径方向に二列にわたり配置してある。この一部巻線部同士の間には空間が設けてており、この空間によって冷却媒体の通路である冷却油路が形成されている。
【０００５】
特開２００８−１０９８１７号公報に記載された集中巻モータにおいては、ステータコアを保持するモータケース内に、円周方向に延びる冷媒流路が形成されている。
【０００６】
特開２００４−３４３８７７号公報に記載された回転電機のコイルは、鉄心の周囲を覆うインシュレータに平角線を複数層に重ねて巻回することで形成されており、インシュレータと平角線との間に形成された隙間に、ワニスが充填される。
【０００７】
そして、平角線の熱がワニスおよびインシュレータを介して鉄心に伝達されることで、平角線の冷却が図られている。
【０００８】
特開２００６−８７１７２号公報に記載された集中巻方式の固定子においては、ステータコアの突極部に、絶縁紙の上から巻線素線を巻回し、スロット内で隣接する巻線の間に巻線と当接しステータコアの端面から突出したスペーサを設けている。そして、このスペーサに放熱板としての機能を持たせている。
【先行技術文献】
【特許文献】
【０００９】
【特許文献１】特開２００５−３２３４１６号公報
【特許文献２】特開２００３−１６４０８８号公報
【特許文献３】特開２００８−１０９８１７号公報
【特許文献４】特開２００４−３４３８７７号公報
【特許文献５】特開２００６−８７１７２号公報
【発明の概要】
【発明が解決しようとする課題】
【００１０】
特開２００５−３２３４１６号公報に記載されたモータジェネレータの冷却構造においては、ステータコアの軸方向端面と、コイルの内周面との間に冷媒が入り込み難く、コイルエンドの冷却を十分に行うことが困難なものとなっている。
【００１１】
特開２００３−１６４０８８号公報に記載された固定子構造においては、分割コアの軸方向端面と、コイルの内周面との間を冷却することができず、コイルエンドの冷却を図ることができないものとなっている。
【００１２】
特開２００８−１０９８１７号公報に記載された集中巻モータにおいては、冷媒が直接コイルを冷却可能なものとなっておらず、コイルの冷却を十分に図ることができないものとなっている。特開２００８−１０９８１７号公報に記載された集中巻モータおよび、特開２００６−８７１７２号公報に記載された集中巻方式の固定子においても冷媒が直接コイルを冷却可能な構成となっておらず、コイルの冷却を十分に図ることが困難なものとなっている。
【００１３】
本発明は、上記のような課題に鑑みてなされたものであって、その目的は、冷媒がコイルを直接冷却する回転電機であって、高効率にコイルを冷却することができる回転電機を提供することである。
【課題を解決するための手段】
【００１４】
本発明に係る回転電機は、状に形成され、周面にステータティースが形成されたステータコア、およびステータティースに装着されたコイルを含むステータと、ステータの軸方向端面に設けられ、軸方向端面およびコイルを覆うように形成される共に、ステータの軸方向端面上に冷媒が流通可能な冷媒通路を規定するカバー部材とを備える。そして、ステータティースの軸方向端面とコイルの内周面との間に隙間が形成され、冷媒通路内には、隙間に向けて冷媒を案内可能なガイド部材が設けられる。
【００１５】
好ましくは、上記ガイド部材は、ステータまたはステータに設けられた部材の一部によって形成される。好ましくは、上記ガイド部材は、カバー部材の内表面に形成され、隙間に向けて突出するように形成される。好ましくは、上記ステータは、ステータティースに装着され、コイルとステータコアとの間を絶縁可能なインシュレータをさらに含む。そして、上記ガイド部材は、インシュレータに形成される。好ましくは、上記ステータは、周方向に間隔を隔てて複数のステータティースおよび複数のコイル含むと共に、コイル間に設けられ、隣り合うコイル間同士を絶縁可能な相間絶縁膜をさらに備える。そして、上記ガイド部材は、相間絶縁膜に形成される。好ましくは、上記ステータは、周方向に間隔を隔てて設けられた複数のステータティースおよび複数のコイル含み、コイルは、ステータティースに巻回された巻回部と、巻回部から引き出され、他のコイルに接続される引出部とを含む。そして、上記引出部は、コイルの軸方向端面上に配設され、ステータは、コイルの軸方向端面上に配置され、引出部を支持する支持部材をさらに含み、ガイド部材は、支持部材に形成される。
【００１６】
好ましくは、上記ステータの周方向に配列するガイド部材の側面には、径方向内方に向かうにしたがって、ステータの軸方向端面から離れるように延び、コイルの軸方向端面側に冷媒を案内可能な側壁案内部を含む。
【００１７】
好ましくは、上記ステータコアは、環状に延びるヨーク部を含み、ステータティースは、ヨーク部の内周面から径方向内方に向けて突出し、カバー部材は、ステータティースの軸方向端面のうち、コイルより径方向内方側に位置する部分からヨーク部の軸方向端面の外周縁部までを覆うように形成され、冷媒通路は、コイルに対して径方向内方側に位置し、周方向に隣り合う隙間同士を連通させる内径側通路を含む。
【００１８】
好ましくは、ステータは、周方向に間隔を隔てて設けられた複数のステータティースおよび複数のコイルを含み、コイルは、ステータティースに巻回された巻回部と、巻回部から引き出され、他のコイルに接続される引出部とを含み、引出部は、周方向に向かうにしたがって、径方向内方側から径方向外方側に向けて延びる。
【発明の効果】
【００１９】
本発明に係る回転電機によれば、コイルを高効率に冷却することができる。
【図面の簡単な説明】
【００２０】
【図１】本発明の実施の形態１に係る回転電機の概略構成を示す側断面図である。
【図２】コイルエンドカバーを取り外した状態において、回転中心線方向から平面視したステータの平面図である。
【図３】コイルと、インシュレータと装着された分割ステータコアの斜視図である。
【図４】インシュレータの斜視図である。
【図５】インシュレータにコイルを装着した状態において、コイルの上端部（コイルエンド部）における正面図である。
【図６】図１のＶＩ−ＶＩ線における断面図である。
【図７】図６のＶＩＩ−ＶＩＩ線における断面図である。
【図８】図６の一部を詳細に示す断面図である。
【図９】ガイド部材の斜視図である。
【図１０】本発明の実施の形態２に係る回転電機の断面図である。
【図１１】分割ステータコア１７５およびその周囲の構成を示す斜視図である。
【図１２】本発明の実施の形態３に係る回転電機ステータの断面図である。
【図１３】図１２に示されたステータティースに装着されたインシュレータの斜視図である。
【図１４】インシュレータにコイルを装着した状態において、コイルの上端部（コイルエンド部）における正面図である。
【図１５】本発明の実施の形態５に係る回転電機のステータを構成する分割ステータコアおよびその周囲に設けられた部材を示す斜視図である。
【発明を実施するための形態】
【００２１】
本実施の形態に係る回転電機１００について、図１から図１５を用いて説明する。
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。また、以下に複数の実施の形態が存在する場合、特に記載がある場合を除き、各々の実施の形態の特徴部分を適宜組合わせることは、当初から予定されている。
【００２２】
（実施の形態１）
図１は、本発明の実施の形態１に係る回転電機の概略構成を示す側断面図である。この図１に示すように、回転電機１００は、回転中心線Ｏを中心に回転可能に支持された回転シャフト１１０と、この回転シャフト１１０に固設され、回転シャフト１１０と共に回転可能に設けられたロータ１２０と、このロータ１２０の周囲に設けられた環状のステータ１４０とを備えている。この回転電機１００は、典型的には、ハイブリッド車両に搭載され、車輪を駆動する駆動源やエンジン等の動力によって電気を発電する発電機として機能する。さらには、電気自動車等にも搭載可能であり、車輪を駆動する駆動源としても利用される。
【００２３】
ロータ１２０は、複数の電磁鋼板等を積層して構成されたロータコア１２５と、ロータコア１２５に形成された磁石挿入孔１２６内に挿入された永久磁石１２３と、ロータコア１２５の軸方向の端面に設けられたエンドプレート１２２とを備えている。永久磁石１２３は、磁石挿入孔１２６内に充填された樹脂１２４によって固定されている。
【００２４】
ステータ１４０は、環状に形成されており、ロータ１２０の周囲を取り囲むように環状に形成されたステータコア１４１と、ステータコア１４１の外周に装着された固定リング１７９と、ステータコア１４１に装着されたＵ相コイル１８０Ｕ，Ｖ相コイル１８０Ｖ，Ｗ相コイル１８０Ｗとを備えている。このステータ１４０（ステータコア１４１）の軸方向端面１７７，１７８には、コイルエンドカバー１７２が装着されている。
【００２５】
図２は、コイルエンドカバー１７２を取り外した状態において、回転中心線Ｏ方向から平面視したステータ１４０の平面図である。
【００２６】
この図２に示すように、ステータコア１４１は環状に形成されたヨーク部１７０と、このヨーク部１７０の内周面から径方向内方に向けて突出し、周方向に間隔を隔てて設けられた複数のステータティース１７１とを備えている。そして、周方向に隣り合うステータティース１７１間には、コイルを収容可能なスロットが形成されている。
【００２７】
ステータコア１４１は、回転中心線Ｏを中心に環状配列する複数の分割ステータコア１７５と、分割ステータコア１７５の外周面に装着された固定リング１７９とを備えている。固定リング１７９は、分割ステータコア１７５の外周面に圧入または焼き嵌めされており、各分割ステータコア１７５を外周側から径方向内方に押圧することで、各分割ステータコア１７５を固定している。
【００２８】
各分割ステータコア１７５は、周方向に延びる分割ヨーク部１７６と、分割ヨーク部１７６の内周面に形成されたステータティース１７１とを備えている。
【００２９】
各分割ステータコア１７５のステータティース１７１には、それぞれ、Ｕ相コイル１８０Ｕ、Ｖ相コイル１８０Ｖ，Ｗ相コイル１８０Ｗのいずれかのコイルが装着されている。そして、ステータ１４０の周方向に沿って、Ｕ相コイル１８０Ｕ、Ｖ相コイル１８０Ｖ，Ｗ相コイル１８０Ｗが順次配列しており、各Ｕ相コイル１８０Ｕ同士、Ｖ相コイル１８０Ｖ同士、Ｗ相コイル１８０Ｗ同士は、それぞれ、間隔を隔て配置されている。
【００３０】
ここで、隣り合うＵ相コイル１８０Ｕ同士は、渡線１５４Ｕによって接続されており、Ｖ相コイル１８０Ｖ同士は、渡線１５４Ｖによって接続され、さらに、Ｗ相コイル１８０Ｗ同士は、渡線１５４Ｗによって接続されている。
【００３１】
図３は、コイル１８０と、インシュレータ１６０と装着された分割ステータコア１７５の斜視図である。この図３に示すように、各分割ステータコア１７５のステータティース１７１には、ＰＰＳ（ポリフェニレンサルファイド）樹脂やＬＣＰ（液晶ポリマー）樹脂などから形成された絶縁性のインシュレータ１６０が装着されている。
【００３２】
このインシュレータ１６０は、ステータティース１７１を受入れ可能な筒状のティース受入部１６１と、このティース受入部１６１の端部に形成され、分割ヨーク部１７６の内周面に沿って延び、分割ヨーク部１７６の内周面に支持される張出部１６２とを備えている。ティース受入部１６１の周面のうち、回転中心線Ｏ方向に位置する軸方向端面には、回転中心線Ｏ方向に向けて突出する突出部１６３が形成されている。
【００３３】
このように形成されたインシュレータ１６０には、コイル１８０が装着されている。この図３中において、端部１５２に示されるように、コイル１８０は、延在方向に対して垂直な断面の形状が、方形形状とされたコイル線２８０を巻回することで構成されている。コイル１８０は、コイル線２８０を環状に巻回しつつ、積層することで形成された巻回部１５１とを備えている。そして、コイル線の一方の端部１５２は、コイル線の積層方向に位置する巻回部１５１の径方向外方側の端面に設けられており、回転中心線Ｏ方向に配列するコイル１８０の軸方向端面より回転中心線Ｏ方向に突出するように延びている。
【００３４】
そして、コイル線２８０の積層方向に配列する端面のうち、径方向内方側の径方向端面には、回転中心線Ｏ方向に向けて延び、コイル１８０の軸方向端面よりも上方に延びる引出部１５３が形成されている。そして、この引出部１５３の上端部には、渡線１５４が連設されている。さらに、この渡線１５４は、各コイルの軸方向端面上を延び、その先端部は、他のコイル１８０に接続されている。
【００３５】
このように、各渡線１５４は、コイル１８０を形成するコイル線２８０の一部が延出することで構成されている。ここで、上記のようにコイル１８０を構成するコイル線は、具体的には、エッジワイズコイル（Edge Width Coil）等の平角線が採用されており、断面形状が円形状の従来の一般的なコイル線よりも剛性が高いコイル線が採用されている。
【００３６】
そして、コイル１８０の軸方向端面には、ＰＰＳ（ポリフェニレンサルファイド）樹脂やＬＣＰ（液晶ポリマー）樹脂などから形成された保持部材１６５が配置されている。この保持部材１６５には、他のコイル１８０から引き出された渡線１５４が嵌め込まれる複数の溝部が形成されている
図４は、インシュレータ１６０の斜視図である。この図４に示すように、張出部１６２のうち、突出部１６３の両側に位置する部分には、穴部１９５が形成されている。図５は、インシュレータ１６０にコイル１８０を装着した状態において、コイル１８０の上端部（コイルエンド部）における正面図である。
【００３７】
この図５に示すように、コイル１８０の内側面は、インシュレータ１６０のティース受入部１６１によって支持されている。
【００３８】
そして、コイル１８０の内周面のうち、軸方向端部側に位置する内端面は、突出部１６３によって支持されており、ステータティース１７１の軸方向端面とコイル１８０の内端面との間には隙間１８１が形成されている。穴部１９５は、コイル１８０とステータティース１７１との間に規定された空間と、張出部１６２に対して径方向外方側に位置する空間とを連通している。
【００３９】
図６は、図１のＶＩ−ＶＩ線における断面図であり、図７は、図６のＶＩＩ−ＶＩＩ線における断面図である。図６および図７に示すように、コイルエンドカバー１７２は、ステータ１４０の周方向に沿って環状に形成されている。
【００４０】
コイルエンドカバー１７２は、延在方向に垂直な断面において、軸方向端面１７７，１７８側が開口するように形成され、さらに、コイルエンドカバー１７２はステータコア１４１の軸方向端面１７７，１７８およびコイル１８０を覆うように形成されている。このため、コイルエンドカバー１７２およびステータコア１４１の軸方向端面１７７，１７８によって、冷媒が流通可能な冷媒通路２１０が規定されている。
【００４１】
コイルエンドカバー１７２の外周壁部には、冷媒通路２１０内に供給される冷媒が流通する供給口２００と、コイルエンドカバー１７２内から排出される冷媒が流通する排出口２０１とが形成されている。そして、供給口２００から冷媒通路２１０内に冷媒が供給されることで、ステータティース１７１およびコイル１８０が冷却される。
【００４２】
コイルエンドカバー１７２の外周壁部は固定リング１７９の外周縁部上に位置しており、コイルエンドカバー１７２の内周壁部は、コイル１８０よりも径方向内方側に位置するステータティース１７１の軸方向端面の内周縁部上に位置している。そしてコイルエンドカバー１７２の内周壁部および外周壁部のいずれも、環状に形成されており、コイル１８０に対して径方向内方側には、周方向に延びる内側通路１９７が形成され、コイル１８０に対して径方向外方側には、外側通路１９８が形成されている。このように、コイルエンドカバー１７２は、およびステータ１４０の軸方向端面のうち、コイルに対して径方向内方側に位置する部分からコイル１８０に対して径方向外方側に位置する部分と、コイル１８０を覆うように形成されている。
【００４３】
コイルエンドカバー１７２の外周壁部の内周面には、径方向に突出するガイド部材１９６が周方向に間隔を隔てて複数形成されている。
【００４４】
このため、外側通路１９８内を周方向に流れる冷媒は、ガイド部材１９６によって径方向内方に案内され、隙間１８１に向けて案内される。そして、冷媒が隙間１８１内を通過することで、コイル１８０の軸方向端面が冷却され、コイル１８０の冷却効率を向上させることができる。
【００４５】
各ガイド部材１９６は、コイル１８０間の間隙に対して径方向外方側に位置しており、隙間１８１の開口部と隣り合うように配置されている。そして、コイルエンドカバー１７２の内周壁部の内周面には、突出部１６３の内周側端面と接触する接触部２１１が形成されており、内側通路１９７は、周方向に隣り合う隙間１８１同士を接続している。
【００４６】
さらに、コイルエンドカバー１７２は、外周壁部と内周壁部とを連設し、環状に延びる天板部とを含み、この天板部はコイル１８０の上端部から離れており、天板部と、コイル１８０の上端面との間を冷媒が流通可能となっている。なお、ガイド部材１９６の軸方向端部は、コイルエンドカバー１７２の天板部に連設されており、コイルエンドカバー１７２と一体成形されており、部品点数の増加が抑制されている。
【００４７】
そして、供給口２００から冷媒通路２１０内に供給された冷媒は、まず、外側通路１９８内に入り込む。そして、ガイド部材１９６に案内されることで、少なくとも一部の冷媒が隙間１８１内に入り込み、その後、内側通路１９７内に入り込む。また、残りの冷媒は、コイル１８０の端部側の外周面を通って、内側通路１９７に向けて流れる。
【００４８】
このように、冷媒がコイル１８０の端部の外周面および内周面を通り、コイルエンドの内周面および外周面のいずれからも冷却することができる。
【００４９】
図８において、内側通路１９７内およびコイル１８０の外周面を通る冷媒は、周方向に流れ、隣のコイル１８０に達する。その後、一部の冷媒は、接触部２１１によって隙間１８１（隙間１８１Ａ）内に案内され、外側通路１９８に達する。ここで、隙間１８１は、接触部２１１および突出部１６３によって、２つの隙間１８１Ａ，１８１Ｂに区画されており、冷媒は、供給口２００側に位置する隙間１８１Ａ内を通り、外側通路１９８に達する。コイル１８０の外周面上を流れる冷媒も、外側通路１９８内に入り込む。外側通路１９８内に入り込んだ冷媒は、再度、ガイド部材１９６に案内されて隙間１８１Ｂ内を通ったり、コイル１８０の外周面上を通って、内側通路１９７内に入り込む。冷媒は、各コイル１８０の内周面および外周面を冷却しながら冷媒通路２１０内を流れ、図６に示す排出口２０１から排出される。なお、排出口２０１から排出された冷媒は、その後、図示されない熱交換機によって冷却され、再度、供給口２００に供給される。
【００５０】
このように、冷媒は、供給口２００から冷媒流通方向（ステータの周方向）Ｒに沿って、順次、各コイル１８０を冷却する。
【００５１】
ここで、図２において、各渡線１５４Ｕ，１５４Ｖ，１５４Ｗは、冷却方向Ｒに向かうにしたがって、径方向外方側から径方向内方側に向かうように傾斜している。このため、たとえば、供給口２００から内側通路１９７に向けて流れるときや、外側通路１９８側から内側通路１９７側に向けて流れるときには、冷媒の流通方向と各渡線１５４Ｕ，１５４Ｖ，１５４Ｗの延在方向とが略一致しており、各渡線１５４Ｕ，１５４Ｖ，１５４Ｗが冷媒の流れを阻害することが抑制されている。また、各渡線１５４Ｕ，１５４Ｖ，１５４Ｗと、コイル１８０の上端面との間には隙間があり、内側通路１９７側から外側通路１９８側に向けて流れる際には、各渡線１５４Ｕ，１５４Ｖ，１５４Ｗとコイル１８０の上端面との隙間を通り、冷媒の流通抵抗の上昇が抑制されている。
【００５２】
図９は、ガイド部材１９６の斜視図である。この図９および上記図８に示すように、周方向に配列するガイド部材１９６の側面２１２，２１５のうち、冷媒の流通方向上流側に位置し、外側通路１９８内の冷媒を隙間１８１Ｂに案内する側面２１２には、側壁ガイド部２１４が形成されている。この側壁ガイド部２１４は、径方向内方に向かうにしたがって、軸方向端面１７７，１７８から離れるように延びており、側面２１２に形成された段差によって構成されている。
【００５３】
そして、冷媒がガイド部材１９６の側面２１２にあたると、ガイド部材１９６によって隙間１８１Ｂに向けて案内されると共に、側壁ガイド部２１４によって、コイル１８０の上端部に向けて案内される。これにより、コイル１８０の外周面上にも冷媒を良好に案内することができる。
【００５４】
なお、上記のように構成されたステータ１４０を組み立てる際には、まず、分割ステータコア１７５のステータティース１７１にインシュレータ１６０を装着する。そして、コイル１８０をインシュレータ１６０のティース受入部１６１に装着して、分割ステータコア１７５とインシュレータ１６０とコイル１８０とを備える電機子ユニットを構成する。そして、この電機子ユニットを環状に配列させる。この際、各コイル１８０の上端面には、保持部材１６５が配置されており、各コイルの渡線１５４が保持部材１６５に装着される。そして、環状に配列する電機子ユニットの外周に固定リング１７９を焼嵌めまたは圧入して、各電機子ユニットを環状に配列させた状態で固定させて、ステータ１４０を構築する。その後、軸方向端面にコイルエンドカバー１７２を装着することで、本実施の形態１に係るステータが作成される。
【００５５】
（実施の形態２）
図１０および図１１を用いて、本発明の実施の形態２に係る回転電機１００について説明する。なお、図１０および図１１に示された構成のうち、上記図１から図９に示された構成と同一または相当する構成については、同一の符号を付してその説明を省略する場合がある。
【００５６】
図１０は、本発明の実施の形態２に係る回転電機の断面図である。この図１０に示すように、各コイル１８０間には、相間絶縁紙２２０が配置されており、周方向に隣り合うコイル１８０間同士の絶縁性が確保されている。
【００５７】
図１１は、分割ステータコア１７５およびその周囲の構成を示す斜視図である。この図１１に示すように、相間絶縁紙２２０は、コイル１８０間に位置し、コイル１８０同士の絶縁性を確保する相間部２２１と、相間部２２１の径方向外方側の辺部のうち、軸方向端部側に連設されたガイド部２２２とを備えている。
【００５８】
ガイド部２２２は、上記図１０に示すように、ヨーク部１７０上に位置している。なお、ガイド部２２２は、相間部２２１よりも軸方向に突出するように形成されており、その軸方向端部は、コイルエンドカバー１７２の天板部と当接している。さらに、ガイド部２２２は、コイルエンドカバー１７２の外周壁部の内周面と当接している。
【００５９】
これにより、図１０において、外側通路１９８内を流れる冷媒はガイド部２２２によって、隙間１８１に向けて案内される。このように、本実施の形態２に係る回転電機おいても、上記実施の形態１に係る回転電機と同様に、コイル１８０の内表面をも冷却することができ、コイル１８０の冷却効率の向上が図られている。
【００６０】
そして、相間絶縁紙２２０にガイド部２２２を設けることで、部品点数の増加を伴うことなく、冷媒を隙間１８１に案内させることができ、製造コストを抑えることができる。
【００６１】
（実施の形態３）
図１２から図１４を用いて、本発明の実施の形態３に係る回転電機について説明する。なお、図１２から図１４に示す構成のうち、上記図１から図１１に示された構成と同一または相当する構成については、同一の符号を付してその説明を省略する場合がある。図１２は、本発明の実施の形態３に係る回転電機ステータの断面図であり、図１３は、図１２に示されたステータティースに装着されたインシュレータ１６０の斜視図である。さらに、図１４は、インシュレータ１６０にコイル１８０を装着した状態において、コイル１８０の上端部（コイルエンド部）における正面図である。
【００６２】
ここで、図１３に示すように、インシュレータ１６０は、張出部１６２の径方向外方側の周面に連設され、径方向外方に向けて突出するガイド部２３０を含む。このガイド部２３０は、突出部１６３より回転中心線Ｏ方向に突出し、突出部１６３に対して径方向外方側に位置している。そして、図１４に示すように、ガイド部２３０の軸方向端部は、コイルエンドカバー１７２の天板部と当接している。
【００６３】
このガイド部２３０は、図１２に示すように、ヨーク部１７０および固定リング１７９の軸方向端面上に位置しており、ガイド部２３０の径方向外方側の端部は、コイルエンドカバー１７２の外周壁部と当接している。そして、ガイド部２３０は、外側通路１９８内を流れる冷媒を隙間１８１に向けて案内している。このため、本実施の形態３に係る回転電機においても、上記実施の形態１および実施の形態２に係る回転電機と同様に、コイルエンド部におけるコイルの内表面を冷却することができ、コイルを効率よく冷却することができる。
【００６４】
さらに、本実施の形態３に係る回転電機においては、インシュレータ１６０にガイド部２３０を形成しており、部品点数の増加を伴うことがなく、製造コストを抑えることができる。なお、この図１２に示す例においては、コイルエンドカバー１７２の内周壁部の内周面には、各コイル間の隙間を閉塞すると共に、内側通路１９７内を流れる冷媒を隙間１８１に案内する仕切部２３１が形成されている。
【００６５】
（実施の形態４）
図１５を用いて、本実施の形態４に係る回転電機について説明する。なお、図１５に示す構成のうち、上記図１から図１４に示された構成と同一または相当する構成については、同一の符号を付してその説明を省略する場合がある。
【００６６】
図１５は、本実施の形態に係る回転電機のステータを構成する分割ステータコア１７５およびその周囲に設けられた部材を示す斜視図である。
【００６７】
この図１５に示すように、保持部材１６５は、巻回部１５１の軸方向端面上に配置され、渡り線を保持する溝部が形成された支持部２５０と、この支持部２５０の径方向外方側の端部に連設されたガイド部２５１とを備えている。
【００６８】
ガイド部２５１は、分割ヨーク部１７６の軸方向端面上に位置しており、コイルエンドカバー１７２の外周壁部と当接している。
【００６９】
そして、ガイド部２５１は、外側通路１９８内を流れる冷媒を隙間１８１に向けて案内し、コイルエンド部の内表面を冷却することができ、上記実施の形態１〜４に係る回転電機と同様の効果を得ることができる。
【００７０】
なお、本実施の形態４に係る回転電機においても、保持部材１６５にガイド部２５１を形成することで、部品点数の増加もなく、製造コストが抑えられている。
【００７１】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。さらに、上記数値などは、例示であり、上記数値および範囲にかぎられない。
【産業上の利用可能性】
【００７２】
本発明は、回転電機適用することができる。
【符号の説明】
【００７３】
１００  回転電機、１１０  回転シャフト、１２０  ロータ、１２２  エンドプレート、１２３  永久磁石、１２４  樹脂、１２５  ロータコア、１２６  磁石挿入孔、１４０  ステータ、１４１  ステータコア、１５１  巻回部、１５２  端部、１５３  引出部、１５４  渡線、１６０  インシュレータ、１６１  ティース受入部、１６２  張出部、１６３  突出部、１６５  保持部材、１７０  ヨーク部、１７１  ステータティース、１７２  コイルエンドカバー、１７５  分割ステータコア、１７６  分割ヨーク部、１７７，１７８  軸方向端面、１７９  固定リング、１８０  コイル、１８１  隙間、１９６  ガイド部材、１９７  内側通路、１９８  外側通路、２００  供給口、２０１  排出口、２１０  冷媒通路、２１１  接触部、２１２，２１５  側面、２１４  側壁ガイド部、２２０  相間絶縁紙、２２１  相間部、２２２，２３０，２５１  ガイド部、２３１  仕切部、２５０  支持部、２８０  コイル線。
【図１】
2010206870.tif 000003
【図２】
2010206870.tif 000004
【図３】
2010206870.tif 000005
【図４】
2010206870.tif 000006
【図５】
2010206870.tif 000007
【図６】
2010206870.tif 000008
【図７】
2010206870.tif 000009
【図８】
2010206870.tif 000010
【図９】
2010206870.tif 000011
【図１０】
2010206870.tif 000012
【図１１】
2010206870.tif 000013
【図１２】
2010206870.tif 000014
【図１３】
2010206870.tif 000015
【図１４】
2010206870.tif 000016
【図１５】
2010206870.tif 000017